(57)【特許請求の範囲】
【請求項１】
地中に鋼管杭を打ち込み、打ち込んだ鋼管杭の頭部に同軸状となるよう一体的に設けた鋼管の内部に柱の下端面の位置が鋼管杭と鋼管との接合面からずれるように柱用の鉄筋を配設し、次いで柱の下端面の位置が鋼管杭と鋼管との接合面からずれるように鋼管内にコンクリートを打設して鋼管杭の上部に一体的に接合された柱脚部を有する柱を立設することを特徴とする建築物の基礎の施工方法。
【請求項２】
地中に打ち込んだ鋼管杭の頭部に同軸状となるように鋼管が一体的に設けられ、柱の下端面の位置が鋼管杭と鋼管との接合面からずらされるように、該鋼管の内部に柱用の鉄筋が組み込まれた状態でコンクリートが打設されて、前記杭頭部の上部と一体的に接合された柱脚部を有する柱が立設されてなることを特徴とする建築物の基礎構造。
【請求項３】
請求項２記載の建築物の基礎構造において、前記鋼管の内周面にはスパイラル状のリブが形成されていることを特徴とする建築物の基礎構造。
【請求項４】
請求項２また３記載の建築物の基礎構造において、前記鋼管の内側には該鋼管の円周面に沿って割裂防止筋が配設されていることを特徴とする建築物の基礎構造。
【発明の詳細な説明】
【０００１】
【発明の属する技術分野】
本発明は、主に単層（平屋建て）ないし２〜３階建て程度の低層建築物の基礎構造および基礎の施工方法に関する。
【０００２】
【従来の技術】
建築物の基礎構造として、杭の上端部にフーチングを介して柱を接合して立設し、それら柱間に梁を架設し、かつ杭の上端部同士をつなぎ梁により連結するものが一般的であるが、より簡略で合理的な構造として、杭と柱とを直接的に接合してつなぎ梁およびフーチングを省略することが近年こころみられるようになった。この場合、柱としては主に鉄骨製のものが用いられていた。
【０００３】
【発明が解決しようとする課題】
上述した杭と柱とを直接的に接合する建築物の基礎構造は、施工性に優れておりコストも安価であるといった特徴を持っているが、柱がＲＣ構造のものへの適用は行われていなかった。柱がＲＣ構造の場合の上述した合理的な建築物の基礎構造の適用が求められていた。
【０００４】
【課題を解決するための手段】
請求項１の発明は、地中に鋼管杭を打ち込み、打ち込んだ鋼管杭の頭部に同軸状となるよう一体的に設けた鋼管の内部に柱の下端面の位置が鋼管杭と鋼管との接合面からずれるように柱用の鉄筋を配設し、次いで柱の下端面の位置が鋼管杭と鋼管との接合面からずれるように鋼管内にコンクリートを打設して鋼管杭の上部に一体的に接合された柱脚部を有する柱を立設することを特徴としている。
【０００５】
請求項２の発明は、地中に打ち込んだ鋼管杭の頭部に同軸状となるように鋼管が一体的に設けられ、柱の下端面の位置が鋼管杭と鋼管との接合面からずらされるように、該鋼管の内部に柱用の鉄筋が組み込まれた状態でコンクリートが打設されて、前記鋼管杭の頭部の上部と一体的に接合された柱脚部を有する柱が立設されてなることを特徴としている。
【０００６】
請求項３の発明は、請求項２記載の建築物の基礎構造において、前記鋼管の内周面にはスパイラル状のリブが形成されていることを特徴としている。
【０００７】
請求項４の発明は、請求項２また３記載の建築物の基礎構造において、前記鋼管の内側には該鋼管の円周面に沿って割裂防止筋が配設されていることを特徴としている。
【０００８】
【発明の実施の形態】
図１は本発明に係る建築物の実施形態を示す。図中、符号１は杭、３は柱である。図１から明らかなように、本実施形態の建築物では各杭１がそれぞれ独立に設けられていて、従来一般には各杭同士を連結するように設けられるつなぎ梁が省略されている。また、各杭１の上端部に各柱３が直接的に接合されており、従来一般には設けられるフーチングが省略されたものとなっている。
【０００９】
図２〜図３は要部の詳細を示すものである。図２に示すように杭１として中空鋼管杭２の上部には該中空鋼管杭２と同軸状に中空鋼管杭２と同径の筒体５が溶接等の適宜固定手段で一体的に設けられている。
【００１０】
また、ここでは筒体５として、例えば内周面にスパイラル状のリブ６が形成された、いわゆるスパイラル鋼管が用いられているが、必ずしもスパイラル鋼管に限られるものでなく、単なる鋼管であってもよい。さらには、杭１として用いた前記中空鋼管杭２の上部を利用してもよい。
【００１１】
筒体５の内部には、柱用の鉄筋９が配設されている。柱用の鉄筋９は、主筋とそのまわりのフープ筋からなっているが、図２ではフープ筋が省略されている。柱用の鉄筋９は筒体５の上部開口部７から上方へ突出して、所定高さまで伸びている。
【００１２】
前記筒体５の内側には、割裂防止筋１０が筒体５の円周面に沿って配設されている。さらに、これら筒体５内に柱用の鉄筋９および割裂防止筋１０が配設された状態で、筒体５内下部に図示しないコンクリート止めを設けてコンクリート８が打設されることにより、柱脚部４を杭１の頭部と一体的に接合された前記柱３が立設されている。
【００１３】
次に本発明の施工方法を示す。まず、地中に杭１を構成する中空鋼管杭２を打ち込む。次いで、中空鋼管杭２の上端部に筒体５を中空鋼管杭２と同軸状に接合する。また、筒体５は、中空鋼管杭２を打ち込む前に予め同中空鋼管杭２に接合しても良い。筒体５の内周部に沿って割裂防止筋１０を配設した上で、柱用の鉄筋９の下端部を筒体５の中空部に配置し、コンクリート８を打設して、筒体５と柱用の鉄筋を固定する。この後、図示せぬ柱用の他の鉄筋及び型枠を組み立てコンクリートを打設する。
【００１４】
上述の構成によれば、杭１と同径の筒体５を中空鋼管杭２と同軸状に接合し、筒体内の中空部に筒体５の略下半部まで至るようにコンクリート８を打設しているから、つまり中空鋼管杭２と筒体５との接合面１１を一致しないようにずらしているから、杭１と筒体５の接合部に生じやすい応力集中を回避して十分な接合強度を確保することができる。
【００１５】
また、筒体５の上端部に柱用の鉄筋９の下端部を配置するとともにコンクリート８を筒体５内に打設充填し、筒体５を介して杭１と柱３を直接的に接合しているから、杭１と柱３の十分な接合強度を確保することができる。
【００１６】
また、筒体５の内周面にスパイラル状のリブ６を形成しているため、該筒体５自体の強度が高まるのは勿論、その他筒体５と杭１、および柱３内にそれぞれ打設されるコンクリート８の定着強度を高めることができ、これにより杭１と柱３との接合強度を高めることができる。
【００１７】
さらに、筒体５の内周部に割裂防止筋１０を配置しているから、柱３から伝わる建築物の鉛直荷重により作用される筒体５の圧縮歪等の変形を防ぐことができる。
【００１８】
また、図３において柱３は角形となっているが、形状は角形および円形のいずれもが採用可能である。
【００１９】
【発明の効果】
請求項１の建築物の基礎の施工方法によれば、地中に鋼管杭を打ち込み、打ち込んだ鋼管杭の頭部に同軸状となるよう一体的に設けた鋼管の内部に柱用の鉄筋を配設し、次いで鋼管内にコンクリートを打設して鋼管杭の上部に一体的に接合された柱脚部を有する柱を接合するものであるから、いずれも簡略かつ合理的な構造で施工性に優れているため工費削減、工期短縮に大きく寄与するものであり、きわめて有効である。また、柱の下端面の位置が鋼管杭と鋼管との接合面からずれるように柱用の鉄筋を配設するとともに柱のコンクリートを打設するものであるから、鋼管杭と鋼管との接合部に生じやすい応力集中を回避して十分な接合強度を確保することができる。
【００２０】
請求項２の建築物の基礎構造によれば、地中に打ち込んだ鋼管杭の頭部に同軸状となるように鋼管が一体的に設けられ、柱の下端面の位置が鋼管杭と鋼管との接合面からずらされるように、該鋼管の内部に柱用の鉄筋が組み込まれた状態でコンクリートが打設されて、前記鋼管杭頭部の上部に一体的に接合された柱脚部を有する柱を構築されてなるから、鋼管杭と鋼管との接合部に生じやすい応力集中を回避して鋼管杭と柱との間に十分なる接合強度を確保できるため、柱にＲＣ構造のものを用いた場合についても鋼管杭と柱とを直接的に接合する建築物の基礎構造の適用が可能となった。
【００２１】
請求項３の建築物の基礎構造によれば、前記鋼管の内周面にはスパイラル状のリブが形成されていることから、鋼管自体の強度が高まるほか前記鋼管とコンクリートの充分なる定着強度が高まり、簡略な構造でＲＣ構造の柱と鋼管杭との応力伝達はスムーズに行われる。
【００２２】
請求項４の建築物の基礎構造によれば、前記鋼管の内側には該鋼管の円周面に沿って割裂防止筋が配筋されることから、建築物の柱等より鉛直荷重がかかることにより作用する該鋼管への圧縮歪等の変位を最小限にとどめ、鋼管の早期劣化を抑制することができる。
【図面の簡単な説明】
【図１】  本発明に係る建築物の基礎構造を有する建築物の実施形態を示す概略構成図である。
【図２】  本発明に係る建築物の基礎構造の実施形態を示す図である。
【図３】  本発明に係る建築物の基礎構造の実施形態を示す断面図である。
【符号の説明】
１  杭
２  中空鋼管杭
３  柱
４  柱脚部
５  筒体
６  リブ
７  上部開口部
８  コンクリート
９  柱用の鉄筋
１０  割裂防止筋
１１  接合面
【図１】
0003690496.tif 000002
【図２】
0003690496.tif 000003
【図３】
0003690496.tif 000004